(57)【要約】      （修正有）【課題】オゾンにより飼育動物の衛生管理を行い、飼育動物に不快感を与えないようにすると共にマッサージ効果により飼育動物に対して心地よさを与え、更に、飼育動物にとって適切な濃度のオゾンを調整する飼育動物用オゾン供給装置を提供する。【解決手段】飼育動物用オゾン供給装置１は、オゾンと空気とを混合した混合気体を供給するオゾン供給本体部２と、オゾン供給本体部２に接続され、オゾン供給本体部２より供給される混合気体を複数の微細孔より外部に放出するオゾン放出部材３と、を有する。オゾン供給本体部２は、飼育動物に適したオゾンの濃度を所定の範囲で予め設定可能なオゾン濃度制御部１２と、所定の範囲よりも小さい範囲でオゾンの濃度を調整可能な制御部１３と、オゾン濃度制御部１２により所定の範囲で設定したオゾンの濃度を制御部１３で調整したオゾンを含む混合気体を生成するオゾン希釈部１６と、を備える。【選択図】図２
0003203726.tif 000002
【実用新案登録請求の範囲】
【請求項１】
飼育動物にオゾンを供給する飼育動物用オゾン供給装置であって、
オゾンと空気とを混合した混合気体を供給するオゾン供給本体部と、
前記オゾン供給本体部に接続され、前記オゾン供給本体部より供給される前記混合気体を複数の微細孔より外部に放出するオゾン放出部材と、
を有し、
前記オゾン供給本体部は、
前記飼育動物に適したオゾンの濃度を所定の範囲で予め設定可能なオゾン濃度制御部と、
前記所定の範囲よりも小さい範囲でオゾンの濃度を調整可能なオゾン濃度調整部と、
前記オゾン濃度制御部により前記所定の範囲で設定したオゾンの濃度を前記オゾン濃度調整部で調整したオゾンを含む前記混合気体を生成する混合気体生成部と、
を備えることを特徴とする飼育動物用オゾン供給装置。
【請求項２】
前記オゾン放出部材は、
前記混合気体を外部に放出するノズルと、
前記ノズルに着脱自在に装着され、前記ノズルから放出される前記混合気体を外部に放出する前記複数の微細孔を備える円筒状のカバーと、
前記ノズルと前記オゾン供給本体部とを接続し、前記オゾン供給本体部より供給される前記混合気体を前記ノズルに供給するホースと、
を備えることを特徴とする請求項１記載の飼育動物用オゾン供給装置。
【考案の詳細な説明】
【技術分野】
【０００１】
本考案は、飼育動物にオゾンを供給する飼育動物用オゾン供給装置に関する。
【背景技術】
【０００２】
ペット等の飼育動物は、人間に癒しを与えると共に寂しさを忘れさせてくれる存在である。また、ペットの飼い主は、ペットを散歩させることにより健康になる。更に、ペットは、子供に対して命の大切さを伝えることのできる存在でもある。
【０００３】
実際にペットとペットの飼い主とが一緒に暮らす場合、飼い主は、ペットの臭い等の衛生面が気になる。このため、従来、シャンプー及び石鹸をペットの肌に直接塗布してペットを洗ったり、泡立用スポンジ若しくは泡立ネットを使用してペットの体を洗ったり、又は、香水若しくはパウダーをペットの体に付けることにより、ペットから発する人間にとって嫌な臭い等を除去している。また、ペットの体を洗った後に、ドライヤーよりペットに対して温風を吹き付けてペットの濡れた毛等を乾燥させている。
【０００４】
一方、オゾンは、フッ素に次ぐ強い酸化力及び塩素の６倍の酸化力を有しているため、細菌及びウィルス等の病原性微生物を殺す殺菌作用があり、従来より治療を目的とした人間への補助療法に使用されている。
【考案の概要】
【考案が解決しようとする課題】
【０００５】
しかしながら、従来においては、オゾンには上記の殺菌作用があるにも関わらず、ペット等の飼育動物の衛星管理にオゾンを積極的に使用していないという課題を有する。また、オゾンを飼育動物に使用する場合、オゾンを飼育動物に悪影響を与えない濃度に制限する必要があると共に、飼い主等のユーザーの要望に応じてオゾンの濃度を調整可能であれば便利である。更に、飼育動物の濡れた毛等を乾燥する場合、飼育動物に対してドライヤーにより強風の温風を吹き付けた場合に、飼育動物に不快感を与える可能性があるという課題を有する。
【０００６】
本考案の目的は、オゾンにより飼育動物の衛生管理を行うことができ、オゾンを複数の微細孔より外部に放出させることにより、飼育動物に不快感を与えないようにすることができると共にマッサージ効果により飼育動物に対して心地よさを与えることができ、更に、飼育動物にとって適切な濃度のオゾンを飼い主等のユーザーの要望に応じて調整しながら使用することができる飼育動物用オゾン供給装置を提供することである。
【課題を解決するための手段】
【０００７】
本考案に係る飼育動物用オゾン供給装置は、飼育動物にオゾンを供給する飼育動物用オゾン供給装置であって、オゾンと空気とを混合した混合気体を供給するオゾン供給本体部と、前記オゾン供給本体部に接続され、前記オゾン供給本体部より供給される前記混合気体を複数の微細孔より外部に放出するオゾン放出部材と、を有し、前記オゾン供給本体部は、前記飼育動物に適したオゾンの濃度を所定の範囲で予め設定可能なオゾン濃度制御部と、前記所定の範囲よりも小さい範囲でオゾンの濃度を調整可能なオゾン濃度調整部と、前記オゾン濃度制御部により前記所定の範囲で設定したオゾンの濃度を前記オゾン濃度調整部で調整したオゾンを含む前記混合気体を生成する混合気体生成部と、を備える。
【考案の効果】
【０００８】
本考案によれば、オゾンにより飼育動物の衛生管理を行うことができ、オゾンを複数の微細孔より外部に放出させることにより、飼育動物に不快感を与えないようにすることができると共にマッサージ効果により飼育動物に対して心地よさを与えることができ、更に、飼育動物にとって適切な濃度のオゾンを飼い主等のユーザーの要望に応じて調整しながら使用することができる。
【図面の簡単な説明】
【０００９】
【図１】本考案の実施形態に係る飼育動物用オゾン供給装置を示す図である。
【図２】本考案の実施形態に係る飼育動物用オゾン供給装置の構成を示すブロック図である。
【図３】本考案の実施形態に係るオゾン放出ノズルに気泡発生用具を装着した状態を示す図である。
【図４】本考案の実施形態に係るオゾン放出ノズルから気泡発生用具を取り外した状態を示す図である。
【図５】本考案の実施形態に係る飼育動物用オゾン供給装置の使用方法を示す図である。
【考案を実施するための形態】
【００１０】
以下、図面を適宜参照して、本考案の実施形態に係る飼育動物用オゾン供給装置につき、詳細に説明する。
【００１１】
＜飼育動物用オゾン供給装置の構成＞
本考案の実施形態に係る飼育動物用オゾン供給装置１の構成につき、図１を参照しながら、以下に説明する。
【００１２】
飼育動物用オゾン供給装置１は、オゾンと空気とを混合した混合気体を生成してオゾン放出部材３に供給するオゾン供給本体部２、及びオゾン供給本体部２に着脱自在に接続され、オゾン供給本体部２から供給されたオゾンを外部に放出するオゾン放出部材３を有している。
【００１３】
＜オゾン供給本体部の構成＞
本考案の実施形態に係るオゾン供給本体部２の構成につき、図１及び図２を参照しながら、以下に詳細に説明する。
【００１４】
オゾン供給本体部２は、筐体２０と、オゾン供給ハンドル２１と、空気供給ハンドル２２と、タイマ２３と、把手部２４と、供給口２５と、を有している。
【００１５】
筐体２０は、図２に示すように、オゾン発生部１１と、オゾン濃度制御部１２と、制御部１３と、開閉バルブ１４と、空気吸入部１５と、オゾン希釈部１６と、開閉バルブ１７と、を内部に備えている。
【００１６】
オゾン発生部１１は、オゾンを生成して開閉バルブ１４に供給する。
【００１７】
オゾン濃度制御部１２は、飼育動物に適したオゾンの濃度になるように飼育動物用オゾン供給装置１の出荷時等においてオゾンの濃度を所定の範囲で予め設定可能である。オゾン濃度制御部１２は、設定された濃度に対応する流量のオゾンがオゾン発生部１１からオゾン希釈部１６に供給されるように開閉バルブ１４の開閉を制御する。ここで、飼育動物は、屋内又は屋外で飼育される犬又は猫等の動物である。
【００１８】
オゾン濃度調整部である制御部１３は、オゾン供給ハンドル２１の操作に応じて、オゾン濃度制御部１２で設定可能な範囲よりも小さい範囲でオゾンの濃度を調整可能である。制御部１３は、オゾン供給ハンドル２１から入力した信号に基づいて、オゾン供給ハンドル２１の操作に応じた流量のオゾンがオゾン発生部１１からオゾン希釈部１６に供給されるように開閉バルブ１４を制御することにより、オゾン濃度制御部１２で設定したオゾンの濃度を調整する。制御部１３は、空気供給ハンドル２２から入力した信号に基づいて、空気供給ハンドル２２の操作に応じた流量の混合気体がオゾン希釈部１６からオゾン放出部材３に供給されるように開閉バルブ１７の開閉を制御する。制御部１３は、タイマ２３で設定した時間が経過した際に開閉バルブ１７を閉じて、オゾン希釈部１６からオゾン放出部材３に対する混合気体の供給を停止する。
【００１９】
開閉バルブ１４は、オゾン濃度制御部１２の制御によりオゾン発生部１１からオゾン希釈部１６に供給されるオゾンの流量を調整すると共に、制御部１３の制御によりオゾン発生部１１からオゾン希釈部１６に供給されるオゾンの流量を調整する。
【００２０】
空気吸入部１５は、外部の空気を吸入してオゾン希釈部１６に供給する。
【００２１】
混合気体生成部であるオゾン希釈部１６は、開閉バルブ１４より供給されたオゾンを、空気吸入部１５より供給された空気で希釈することにより、オゾン濃度制御部１２で設定したオゾンの濃度を制御部１３で調整した濃度のオゾンを含む混合気体を生成する。オゾン希釈部１６は、生成した混合気体を開閉バルブ１７に供給する。
【００２２】
開閉バルブ１７は、オゾン希釈部１６から供給された混合気体の流量を制御部１３の制御により調整しながら、オゾン希釈部１６から供給された混合気体を供給口２５を介してオゾン放出部材３に供給する。
【００２３】
オゾン供給ハンドル２１は、ユーザーがオゾンの濃度を調整可能にするために筐体２０に設けられ、ユーザーの操作に応じた信号を制御部１３に出力する。
【００２４】
空気供給ハンドル２２は、ユーザーが混合気体の流量を調整可能にするために筐体２０に設けられ、ユーザーの操作に応じた信号を制御部１３に出力する。
【００２５】
タイマ２３は、ユーザーがオゾン供給本体部２から混合気体を供給する時間を設定可能にするために筐体２０に設けられ、設定された時間を計測する。
【００２６】
把手部２４は、筐体２０の上面に設けられ、手で把持されてオゾン供給本体部２を持ち運び可能にしている。
【００２７】
供給口２５は、オゾン放出部材３を着脱自在に接続可能にしており、オゾン放出部材３が接続された際に開閉バルブ１７からオゾン放出部材３への混合気体の供給を可能にする。
【００２８】
＜オゾン放出部材の構成＞
本考案の実施形態に係るオゾン放出部材３につき、図１から図４を参照しながら、以下に詳細に説明する。
【００２９】
オゾン放出部材３は、ノズル３０と、カバー３１と、ホース３２と、を備えている。
【００３０】
ノズル３０は、図４に示すように、オゾン放出部材３の先端に設けられていると共に先端に開口部３０１を備えている。ノズル３０には、開口部３０１に連通してホース３２の中空部３２１から供給される混合気体を開口部３０１から外部に放出させるための中空部３０２が設けられている。開口部３０１は、従来のドライヤーの送風口等に比べて小径であり、ドライヤー等に比べて少ない流量の混合気体を外部に放出させる。
【００３１】
カバー３１は、図３に示すように、先端面が閉塞されていると共に後端面が開口した円筒状であり、ノズル３０に着脱自在に設けられる。カバー３１は、ノズル３０の開口部３０１から放出される混合気体を外部に放出する複数の微細孔３１１を備えている。カバー３１は、ゴム性樹脂等を発泡させた多孔質の材料により形成されている。
【００３２】
ホース３２は、図４に示すように、一端が供給口２５に着脱自在に接続可能であり、他端がノズル３０に接続している。ホース３２には、一端が供給口２５に連通すると共に他端がノズル３０の中空部３０２に連通する中空部３２１が設けられている。中空部３２１は、ホース３２が供給口２５に接続された際に、オゾン供給本体部２より供給される混合気体をノズル３０の中空部３０２に供給する。
【００３３】
＜飼育動物用オゾン供給装置の使用方法＞
本考案の実施形態に係る飼育動物用オゾン供給装置１の使用方法につき、図５を参照しながら、以下に詳細に説明する。
【００３４】
図５において、図５（ａ）は、泡体を生成した容器を示すものである。図５（ｂ）は、泡体で飼育動物を洗っている状態を示すものである。図５（ｃ）は、殺菌水を生成した容器を示すものである。図５（ｄ）は、殺菌水で飼育動物を洗っている状態を示すものである。図５（ｅ）は、オゾン放出部材３で飼育動物の毛を乾燥させている状態を示すものである。
【００３５】
まず、飼育動物７０の飼い主等のユーザーは、容器５０の内部に熱湯と肌を荒らす成分の少ない石鹸とを入れて石鹸水を作る。
【００３６】
次に、オゾン供給ハンドル２１を操作して、オゾン放出部材３から放出される混合気体におけるオゾンの濃度を調整する。また、タイマ２３を操作して、オゾン供給本体部２から混合気体を供給する時間を設定する。
【００３７】
次に、オゾン供給本体部２に接続されたオゾン放出部材３を、容器５０内の石鹸水の中に浸す。これにより、空気供給ハンドル２２で調整された流量のオゾンと空気との混合気体がオゾン放出部材３のカバー３１の微細孔３１１から発散され、発散された混合気体で石鹸水を撹拌することにより、図５（ａ）に示すように、多量の綿状の泡体５１が容器５０内に生成される。
【００３８】
次に、容器５０の泡体５１にカバー３１を装着したノズル３０を浸してカバー３１に泡体５１を付着させる。
【００３９】
次に、図５（ｂ）に示すように、泡体５１が付着したカバー３１で飼育動物７０を優しく撫でることにより、飼育動物７０の体をお腹から順番に泡体５１で洗う。この際、空気供給ハンドル２２で調整された流量の混合気体がカバー３１の微細孔３１１から放出され続けるため、混合気体に含まれるオゾンで飼育動物７０の体を殺菌することができる。また、空気供給ハンドル２２で調整された流量の混合気体がカバー３１の複数の微細孔３１１から放出されることにより、飼育動物７０に不快感を与えないようにすることができると共にマッサージ効果により飼育動物７０に対して心地よさを与えることができる。更に、飼育動物７０の体をカバー３１で優しく撫でるだけでよいため、外傷を有する飼育動物７０又はアトピー性皮膚炎の飼育動物７０等に恐怖感を与えないようにすることができる。
【００４０】
飼育動物７０の体を一通り洗った後、図５（ｃ）に示すように、容器６０に貯めた温水にカバー３１を装着したノズル３０を浸す。これにより、カバー３１の微細孔３１１から容器６０の温水に空気供給ハンドル２２で調整された流量の混合気体が放出され、容器６０の温水はオゾンにより殺菌されて殺菌水６１となる。
【００４１】
次に、カバー３１にコットンを巻いて、コットンを巻いたカバー３１を殺菌水６１に浸して殺菌水６１をコットンに染み込ませる。
【００４２】
次に、図５（ｄ）に示すように、殺菌水６１が染み込んだコットンで飼育動物７０の体を撫でることにより、飼育動物７０に付着している泡体５１を拭き取ると共に殺菌水６１で飼育動物７０の体を殺菌する。これにより、飼育動物７０の体を殺菌しながら泡体５１を拭き取ることができると共に、シャワーのように大量の水を使用しないので、僅かなスペースで飼育動物７０に付着している泡体５１を拭き取ることができる。また、空気供給ハンドル２２で調整された流量の混合気体がカバー３１の微細孔３１１から放出され続けるため、殺菌水６１による殺菌に加えて、混合気体に含まれるオゾンで飼育動物７０の体を殺菌することができる。また、カバー３１の複数の微細孔３１１から空気供給ハンドル２２で調整された流量の混合気体が放出されることにより、飼育動物７０に不快感を与えないようにすることができると共にマッサージ効果により飼育動物７０に対して心地よさを与えることができる。更に、飼育動物７０の体をカバー３１で優しく撫でるだけでよいため、外傷を有する飼育動物７０又はアトピー性皮膚炎の飼育動物７０等に恐怖感を与えないようにすることができる。
【００４３】
次に、ノズル３０からカバー３１を取り外し、図５（ｅ）に示すように、空気供給ハンドル２２で調整された流量のオゾンを含む混合気体をノズル３０の開口部３０１から飼育動物７０に吹き付けて、飼育動物７０の毛等を乾燥させる。この際、空気供給ハンドル２２を操作して、飼育動物７０に吹き付ける混合気体の流量を徐々に大きくすることにより、飼育動物７０に不快感を与えることなく毛を乾燥させることができる。
【００４４】
このように、オゾン放出部材３を用いて飼育動物７０の毛を乾燥させるので、泡体５１で洗う作業から毛を乾燥させる作業までをオゾン放出部材３のみを用いて行うことができ、使用器具を交換する煩わしさをなくすることができる。また、空気供給ハンドル２２で調整された流量の混合気体がカバー３１の微細孔３１１から放出され続けるため、毛の乾燥時において混合気体に含まれるオゾンで飼育動物７０の体を殺菌することができる。また、空気供給ハンドル２２で調整された流量の混合気体がカバー３１の複数の微細孔３１１から放出されることにより、飼育動物７０に不快感を与えないようにすることができると共にマッサージ効果により飼育動物７０に対して心地よさを与えることができる。更に、混合気体を傷口に吹き付けることにより消炎効果を得ることができ、混合気体を老犬等における床ずれ箇所又は腐敗を生じている箇所に吹き付けることにより、殺菌効果を得ることができると共に肌の腐敗の進行を抑制することができる。
【００４５】
そして、タイマ２３で設定した時間が経過した際に、オゾン供給本体部２からの混合気体の供給が停止する。
【００４６】
このようにオゾンを使用して飼育動物の衛生管理を行うことにより、上記の効果に加えて、余分な皮質を分解することができるため毛をふんわりと仕上げることができ、ペット臭を脱臭することができ、たんぱく質の流出を防ぐことができるためキューティクルの剥離を抑えて被毛を保護することができると共に、皮膚の再生を活性化して湿疹を改善及び予防することができる。また、カバー３１の微細孔３１１から放出されるオゾンが飼育動物７０の周囲にも放出されるため、飼育動物７０の周囲の脱臭等の衛生管理も行うことができる。
【００４７】
本実施形態によれば、オゾン供給本体部２より供給される混合気体を複数の微細孔３１１より外部に放出するオゾン放出部材３と、オゾン供給本体部２は、飼育動物に適したオゾンの濃度を予め設定可能なオゾン濃度制御部１２と、オゾン濃度制御部１２で設定可能な範囲よりも小さい範囲でオゾンの濃度を調整可能な制御部１３と、オゾン濃度制御部１２で設定したオゾンの濃度を制御部１３で調整した濃度のオゾンを含む混合気体を生成するオゾン希釈部１６と、を備えることにより、オゾンにより飼育動物の衛生管理を行うことができ、オゾンを複数の微細孔より外部に放出させることにより、飼育動物に不快感を与えないようにすることができると共に、飼育動物にとって適切な濃度のオゾンを飼い主の要望に応じて調整しながら使用することができる。
また、本実施形態によれば、オゾンを使用して飼育動物の衛生管理を行うため、アルコール等の肌荒れを生じる薬品を使用して衛生管理を行う場合に比べて、飼育動物の皮膚等に与えるダメージを無くすることができる。
【００４８】
本考案は、部材の種類、配置、個数等は前述の実施形態に限定されるものではなく、その構成要素を同等の作用効果を奏するものに適宜置換する等、考案の要旨を逸脱しない範囲で適宜変更可能であることはもちろんである。
【００４９】
具体的には、泡体５１及び殺菌水６１を用いて飼育動物の衛生管理を行ったが、これは一例であって、オゾン放出部材３より放出される混合気体を飼育動物に吹き付けることのみで飼育動物の衛生管理を行ってもよい。また、浴槽に汲んだ温水にオゾン放出部材３を浸し、カバー３１の微細孔３１１からオゾンを含む混合気体を放出させた状態の浴槽内の温水に飼育動物を入浴させるようにしてもよい。
【産業上の利用可能性】
【００５０】
本考案は、飼育動物にオゾンを供給する飼育動物用オゾン供給装置に好適である。
【符号の説明】
【００５１】
１  飼育動物用オゾン供給装置
２  オゾン供給本体部
３  オゾン放出部材
１１  オゾン発生部
１２  オゾン濃度制御部
１３  制御部
１４  開閉バルブ
１５  空気吸入部
１６  オゾン希釈部
１７  開閉バルブ
２０  筐体
２１  オゾン供給ハンドル
２２  空気供給ハンドル
２３  タイマ
２４  把手部
２５  供給口
３０  ノズル
３１  カバー
３２  ホース
５０  容器
５１  泡体
６０  容器
６１  殺菌水
３０１  開口部
３０２  中空部
３１１  微細孔
３２１  中空部
【図１】
0003203726.tif 000003
【図２】
0003203726.tif 000004
【図３】
0003203726.tif 000005
【図４】
0003203726.tif 000006
【図５】
0003203726.tif 000007